(57)【特許請求の範囲】
【請求項１】
インキタンク内のインキを毛細管力を有するインキ中継芯にてペン先に接続してなる筆記具において、前記インキ中継芯のペン先側先端部に鍔部を形成し、この鍔部と筆記具本体との間に弾撥部を配置するが、その弾撥部を筆記具を構成する部品の１部に一体に形成してインキ中継芯先端とペン先後端とを圧接したことを特徴とした筆記具。
【請求項２】
インキタンク内のインキを毛細管力を有するインキ中継芯にてペン先に接続してなる筆記具において、前記ペン先のインキ中継芯側の後端部に鍔部を形成し、この鍔部と筆記具本体との間に弾撥部を配置してインキ中継芯先端とペン先後端とを圧接したことを特徴とした筆記具。
【発明の詳細な説明】
【０００１】
【発明の属する技術分野】
本発明は、インキタンク内のインキを毛細管力を有するインキ中継芯にてペン先に接続してなる筆記具に関する。
【０００２】
【従来の技術】
従来、インキタンク内に自由状態で収容するインキやインキタンク内に収容した繊維集束体等のインキ吸蔵部材に保持させたインキをペン先に接続するために、繊維集束体や多孔質体などの毛細管力を有するインキ中継芯をインキタンク若しくはインキ吸蔵体とペン先との間に介在させたものが知られている。
【０００３】
【発明が解決しようとする課題】
ペン先とインキ中継芯とのインキの接続状態は、両部材の接触状態に左右される。ペン先若しくはインキ中継芯の寸法が短い場合、ペン先とインキ中継芯との間に空間が形成されることになり、インキタンク又はインキ吸蔵体よりペン先への連続したインキ接続が阻害される。例え、この空間がわずかなものであっても、連続したインキ接続が得られないことによるインキの吐出不良は免れず、筆跡のかすれや筆記不能の原因となる。また、初め接触していたとしても使用時や輸送時などの衝撃、振動により、ペン先又はインキ中継芯の位置が経時的に移動してしまうこともある。多少のずれは吸収できるようにペン先とインキ中継芯を強圧接させたり、一方に他方が減り込むようにしてその圧入力で接続を維持することもできるが、強圧接にしたものでは互いのインキ通路がつぶされる危険があり、結局インキ吐出不良になる可能性があり、また、一方に他方が減り込むようにしたものでは経時的な塑性変形により圧入力がなくなり、結局使用時や輸送時などの衝撃、振動により、ペン先又はインキ中継芯の位置が経時的に移動してしまうことを抑制できないことがあった。
【０００４】
【課題を解決するための手段】
即ち、本発明は、インキタンク内のインキを毛細管力を有するインキ中継芯にてペン先に接続してなる筆記具において、前記インキ中継芯のペン先側先端部に鍔部を形成し、この鍔部と筆記具本体との間に弾撥部を配置してインキ中継芯先端とペン先後端とを圧接したことを特徴とした筆記具を第１の要旨とし、インキタンク内のインキを毛細管力を有するインキ中継芯にてペン先に接続してなる筆記具において、前記ペン先のインキ中継芯側の後端部に鍔部を形成し、この鍔部と筆記具本体との間に弾撥部を配置してインキ中継芯先端とペン先後端とを圧接したことを特徴とした筆記具を第２の要旨とする。
【０００５】
【実施例】
以下、図面に基づき一例について説明する。図１に示した一例は、軸筒１内の後部分をインキタンク１ａとし、直接インキを充填した、所謂生インキタイプの筆記具の例である。軸筒１の内孔前部（ペン先側）には、縦断面櫛歯状の一時的インキ溜め部２ａを有する一時的インキ溜め部材２が取り付けられており、この一時的インキ溜め部材２の各一時的インキ溜め部２ａとスリット２ｂにて連通する中心孔２ｃには合成繊維の集束体であるインキ中継芯３が挿入配置されている。一時的インキ溜め部材２の前部であり軸筒１より突出した部分はペン先ホルダー部２ｅとなっており、ホルダー４と繊維ペン先５を圧入固定している。また、一時的インキ溜め部材２の後端部にはゴム等の弾性リング６が嵌められており、インキタンク１ａと一時的インキ溜め部２ａとの間のインキの移動は必ず中心孔２ｃの後部を経由するようになしてある。
【０００６】
インキ中継芯３には先端部分に大径となる鍔部３ａが形成されている。また、一時的インキ溜め部材２の、インキ中継芯３の鍔部３ａの後段３ｂに対応する位置には弾撥性を有する薄肉片２ｄが形成されており、インキ中継芯３の後段３ｂをペン先方向に付勢している。このようにすることにより、インキ中継芯３やペン先５の部品寸法が一定とならないなどで各部材の配置にずれが生じたとしても、そのずれた寸法を吸収してインキ中継芯３の先端をペン先５の後端と当接させることができ、理想的なインキ接続状態を維持できるものである。
【０００７】
また、インキ中継芯３の先端部に形成した鍔部３ａによりインキ中継芯３を前方付勢してなることにより、インキ中継芯３の全体に付勢力がかかることはなく、インキ中継芯の変形が抑制され、例えばインキ中継芯３が湾曲してスリット２ｂ部分と密着することによる一時的インキ溜め部２ａと中心孔２ｃ間のインキの移動の阻害をしたり、インキ中継芯３が中心孔２ｃの内壁に密着することによるインキ中継芯３のインキ流通を阻害することも抑制されたものとなる。
【０００８】
図２に図１にて示した一例の変形例を示す。即ち、図１に示したもののような、自由状態でインキを収容する生インキタイプの筆記具としてではなく、インキタンク１ａ内に合成繊維集束体のインキ吸蔵体１ｂを収容したものの一例である。本例の場合、インキ中継芯３の後端部はインキ吸蔵体１ｂに減り込ませた状態に接続しており、この減り込ませ量を管理することがなかなか難しいことからインキ中継芯３とペン先５との位置関係が比較的管理し難いものであると言える。ペン先５を取り付けるペン先ホルダー２ｅ’の内孔２ｃ’にインキ中継芯３の鍔部３ａに対応する弾撥性を有する薄肉片２ｄを形成し、インキ中継芯３をペン先側に付勢して両者の当接を確実なものとしている点は上述の例と同様である。本例においても、インキ中継芯３の先端部に形成した鍔部３ａにより中継芯３を前方付勢しているので、インキ吸蔵体１ｂとの間には余分な力が付与されず、インキ接続を阻害することが極力抑制されている。また、本例の場合、弾撥性を有する薄肉片２ｄは、ペン先ホルダー２ｅ’に形成せずに、軸筒１の内孔に内方突出部を形成してそこに形成することもできる。
【０００９】
図３に他の一例を示す。基本的には図１に示した例と同様に、所謂生インキタイプの筆記具の例である。一時的インキ溜め部材２とインキ中継芯３の鍔部３ａとの間に介在させる弾撥性を有する部分として、インキ中継芯３の鍔部３ａの一部に薄肉片３ｃを形成したものである。インキ中継芯３をペン先側に付勢してインキ中継芯３とペン先５との両者間の当接を確実なものとしている点やインキ中継芯３の先端部分にて付勢力を付与することによる利点は上述の例と同様であるが、弾撥性を有する薄肉片３ｃをインキ中継芯３に形成したことにより、この薄肉片３ｃを当接させる位置を一時的インキ溜め部材２、ペン先ホルダー部２ｅ、ホルダー４など任意の部材、任意の位置とすることができる。また、図示の例では、一時的インキ溜め部材２の薄肉片３ｃの先端が当接する部分を段部２ｆとしたので、薄肉片３ｃが過度に変形して拡開し、実質的に適切な弾撥力が得られない状態となることを抑制している。
【００１０】
図４に示したものは、本発明の第２の要旨にかかる一例である。即ち、繊維ペン先５を中継芯３方向に付勢することにより、インキ中継芯３とペン先５を適切な密接状態とするものである。ペン先５はその後部を大径部とすることにより段部５ａを形成しており、ホルダー４の内孔に形成した内段部４ａとの間にコイルスプリング８を介在させている。このコイルスプリング８によりペン先５を後方付勢し、インキ中継芯３の先端に当接させている。一方、インキ中継芯３の先端部分は鍔部３ａが形成されており、こと鍔部３ａが中心孔２ｃの段部２ｇに係合し位置決めされている。即ち、ペン先５の後方付勢による押圧力をインキ中継芯３の先端部に位置する鍔部３ａによって受けるので、インキ中継芯３の全体には付勢力が係らず、不要な変形による不具合を極力抑制することができる。
【００１１】
【発明の効果】
以上のように、本発明の筆記具は、簡単な構造にて、ペン先とインキ中継芯とのインキ接続を経時的にも確実になし、筆跡のかすれや筆記不能といったインキ吐出不良を極力抑制することができるものである。
【図面の簡単な説明】
【図１】  一例を示す要部縦断面図。
【図２】  図１の変形例を示す要部縦断面図。
【図３】  他の一例を示す要部縦断面図。
【図４】  一例を示す要部縦断面図。
【符号の説明】
１      軸筒
１ａ    インキタンク
１ｂ    インキ吸蔵体
２      一時的インキ溜め部材
２ａ    一時的インキ溜め部
２ｂ    スリット
２ｃ    中心孔
２ｃ’    内孔
２ｄ    薄肉片
２ｅ    ペン先ホルダー部
２ｅ’    ペン先ホルダー部
２ｆ    段部
２ｇ    段部
３      インキ中継芯
３ａ    鍔部
３ｂ    後段
３ｃ    薄肉片
４      ホルダー
４ａ    内段部
５      ペン先
５ａ    段部
６      弾性リング
８      コイルスプリング
【図１】
0003669115.tif 000002
【図２】
0003669115.tif 000003
【図３】
0003669115.tif 000004
【図４】
0003669115.tif 000005